(57)【要約】【課題】受信中の放送から音楽コンテンツを記録する際、音楽コンテンツを重複記録することがなく、受信の頻度の高い音楽コンテンツを容易に識別可能にする。【解決手段】音楽記録再生装置１は、音楽コンテンツを一時記録する第１記録部１２と、音楽コンテンツを記録する第２記録部１４と、第１記録部１２に一時記録された音楽コンテンツを第２記録部１４に記録する制御部１０と、音楽コンテンツを特定する音楽情報特定手段１５と、を備え、音楽情報特定手段１５は第１記録部１２に記録された音楽コンテンツを特定し、制御部１５は該音楽コンテンツが記録部に記録済である場合、第１記録部１２に記録された音楽コンテンツを破棄し、当該音楽コンテンツが第２記録部１４に記録されていない場合、対１記録部１２に記録された音楽コンテンツを記録部１４に記録し、音楽コンテンツの処理回数をカウントアップして該音楽コンテンツに対応付けて第２記録部１４に記録する。【選択図】図１
2009123308.tif 000002
【特許請求の範囲】
【請求項１】
放送を受信する放送受信部と、前記受信した放送の音楽コンテンツを一時記録する第１記録部と、該第１記録部に一時記録された音楽コンテンツを記録する第２記録部と、前記第１記録部に一時記録された音楽コンテンツを前記第２記録部に記録する制御部と、音楽コンテンツを特定する音楽情報特定手段と、を備え、
前記放送受信部で受信中の音楽コンテンツを前記第１記録部に記録し、前記音楽情報特定手段は該第１記録部に記録された音楽コンテンツを特定し、前記制御部は、当該音楽コンテンツが前記第２記録部に記録済である場合、前記第１記録部に記録された音楽コンテンツを破棄し、当該音楽コンテンツが前記第２記録部に記録されていない場合、前記第１記録部に記録された音楽コンテンツを前記第２記録部に記録し、前記音楽コンテンツの処理回数をカウントアップして前記音楽コンテンツに対応付けて前記第２記録部に記録することを特徴とする音楽記録再生装置。
【請求項２】
前記制御手段は、前記２記録手段に記録された音楽コンテンツのリストを表示手段に表示する際、前記音楽コンテンツの処理回数に応じてソートし、処理回数の多い順に前記音楽コンテンツのリストを表示することを特徴とする請求項１に記載の音楽記録再生装置。
【請求項３】
前記音楽情報特定手段は、音楽情報送受信部および特徴抽出部を有し、該音楽情報送受信部は、前記特徴抽出部により抽出された前記放送受信部で受信中の音楽コンテンツの特徴部分をサーバに送信し、前記サーバから当該音楽コンテンツの曲名を含む音楽情報を受信し、前記制御部は、当該音楽コンテンツの曲名に基づいて前記第２記録部に記録済か否かを判別することを特徴とする請求項１または請求項２に記載の音楽記録再生装置。
【請求項４】
前記音楽情報特定手段は、音楽情報解析手段を有し、前記第１記録部に記録された音楽コンテンツの周波数特性に基づいて該音楽コンテンツを特定し、前記制御部は当該音楽コンテンツの前記周波数特性に基づいて、前記第２記録部に記録済か否かを判別することを特徴とする請求項１または請求項２に記載の音楽記録再生装置。
【請求項５】
前記音楽情報特定手段は、曲名検出部を含む音楽情報解析手段を有し、前記音楽情報解析手段は、前記放送受信部で受信中の音楽コンテンツの特徴部分を抽出し、当該特徴部分に基づいて前記音楽コンテンツの曲名を特定し、前記制御部は、当該音楽コンテンツが前記第２記録部に記録済である場合、前記第１記録部に記録された音楽コンテンツを破棄し、当該音楽コンテンツが前記第２記録部に記録されていない場合、前記第１記録部に記録された音楽コンテンツを前記第２記録部に記録することを特徴とする請求項１または請求項２に記載の音楽記録再生装置。
【請求項６】
前記音楽記録再生装置は、現在位置検出部と、道路をノードとノード間を接続するリンクで表現した道路データを記憶する地図記憶部と、前記道路データに基づいて経路探索を行うナビ制御部と、を備え、ナビ制御部が経路探索した案内経路に基づいて経路案内するナビゲーション機能を有し、前記リンクデータは、各リンク毎にそのリンクで受信可能な放送局のデータをリンクの属性情報に含み、
経路案内中に前記放送受信部で受信中の音楽コンテンツを前記第１記録部に記録する際、前記ナビ制御部は、前記道路データを参照し、案内中の経路の前方のリンクに前記受信中の放送を受信できないリンクが存在する場合、前記受信中の放送を受信できるリンクを用いて経路を再探索することを特徴とする請求項１ないし請求項５の何れか１項に記載の音楽記録再生装置。
【請求項７】
前記音楽記録再生装置は、現在位置検出部と、道路をノードとノード間を接続するリンクで表現した道路データを記憶する地図記憶部と、前記道路データに基づいて経路探索を行うナビ制御部と、を備え、ナビ制御部が経路探索した案内経路に基づいて経路案内するナビゲーション機能を有し、前記リンクデータは、各リンク毎にそのリンクで受信可能な放送局のデータをリンクの属性情報に含み、
経路案内中に前記放送受信部で受信中の音楽コンテンツを前記第１記録部に記録する際、前記ナビ制御部は、前記道路データを参照し、案内中の経路の前方のリンクに前記受信中の放送を受信できないリンクが存在する場合、前記経路上で停車すべき時間を算出して案内することを特徴とする請求項１ないし請求項５の何れか１項に記載の音楽記録再生装置。
【発明の詳細な説明】
【技術分野】
【０００１】
本発明は、アナログ放送やデジタル放送に対応したテレビジョン放送受信機能、ＡＭ放送やＦＭ放送に対応したラジオ放送受信機能などを持ち、音楽コンテンツを受信して記録再生することができる音楽記録再生装置に関するものであり、特に、音楽コンテンツを含む放送を受信してハーディスクからなる記憶部に音楽コンテンツを記録することができる音楽記録再生装置において、受信放送中の音楽コンテンツの曲名を解析して、同じ曲名の音楽コンテンツを記録済である場合には、記録部への記録処理を行わず処理回数をカウントし、記録部に記録された音楽コンテンツの曲名をカウント値に応じた順序でリスト表示するようにした音楽記録再生装置に関するものである。
【背景技術】
【０００２】
最近ではナビゲーション装置、音楽プレーヤー、ＤＶＤプレーヤー、アナログ放送やデジタル放送に対応したテレビジョン受信機など各種の電子装置が小型化され、携帯可能な装置として、あるいは車載用の装置として提供されている。特に車載用の装置としては、上記の各種機能を複合して備えた電子装置も提供されている。
【０００３】
車載用のナビゲーション装置は、例えば、下記の特許文献１（特開２００３−１３０６６９号公報）に開示されているように、所要のリンクコストを設定した地図データを用い、各リンクに設定されたリンクコストに基づいて、出発地から目的地までのリンクコストの累計が最少になる経路を探索して案内するものである。
【０００４】
また、車載用のナビゲーション装置においては、アナログ放送やデジタル放送に対応したテレビジョン放送受信機能やＡＭ放送やＦＭ放送に対応したラジオ放送受信機能を併せ持った装置が数多く提供されている。
【０００５】
このようなナビゲーション装置では、ハードディスク部に経路探索、地図表示のための地図データが記憶される。最近ではハードディスク部の記憶容量が飛躍的に増大したことから、地図データを記憶したハードディスク部の一部を用いて受信した放送の音楽データなどのコンテンツを記憶できるようにしたナビゲーション装置も提案されている。
【０００６】
通常、ＣＤやＤＶＤなどに記録され音楽コンテンツを再生しながら再生装置内の記憶部に記録し、あるいは、放送を受信してその中に含まれる音楽コンテンツを放送受信装置内の記録部に記録したりする場合、再生中の音楽コンテンツのデータや放送受信部で受信した放送信号をデジタルデータに変換して音楽抽出部によって音楽データのみを抽出しながらＲＡＭに一時記録し、１つの楽曲の記録が完了すると、ハードディスクからなる記憶部にその楽曲の音楽データを記録するようにされる。
【０００７】
例えば、下記の特許文献２（特開２００６−２７７７９２号公報）には、音楽データの圧縮処理と再生処理とを並行して実行する際に、圧縮処理された圧縮音楽データを一時的に順次ＤＳＰ用ワークＲＡＭ１６に記憶し、このＤＳＰ用ワークＲＡＭに記憶されている圧縮音楽データに基づいて再生処理を実行するとともに、１曲分の音楽データの圧縮処理が完了したときに、ＤＳＰ用ワークＲＡＭに記憶されている圧縮音楽データをハードディスクドライブに転送して格納するようにした情報記録再生装置が開示されている。
【０００８】
一方、ラジオ放送を受信し、音楽コンテンツの楽曲部分を記録するようにしたデジタル再生装置は、例えば、下記の特許文献３（特表２００５−５１８５６０号公報）に開示されている。このデジタル再生装置は、受信されるラジオ放送コンテンツの中から再生することができる音楽部分を自動で選り分けて格納するように構成されたものである。
【０００９】
すなわち、このデジタル再生装置は、チューナで放送信号を音響出力部に出力すると共に，ＤＳＰに印加すると、ＤＳＰは前記放送信号をデジタルデータに変換して音楽抽出部に印加し、音楽抽出部は音楽抽出アルゴリズムによって前記デジタルデータ中から音楽データのみを抽出し、マイクロプロセッサは抽出した前記音楽データの始めと終わりを認識して音楽データ格納部の臨時領域に臨時格納しかけて現在出力する音楽を格納する命令が入力されると、前記音楽データ格納部の臨時領域から確定領域に移転して格納し、その格納状態を確定して維持するようにされたものである。
【特許文献１】特開２００３−１３０６６９号公報
【特許文献２】特開２００６−２７７７９２号公報
【特許文献３】特表２００５−５１８５６０号公報
【発明の開示】
【発明が解決しようとする課題】
【００１０】
上記特許文献２に開示された再生装置のように、ＣＤやＤＶＤなどに記録され音楽コンテンツを再生しながら再生装置内の記憶部に記録し、あるいは、放送を受信してその中に含まれる音楽コンテンツを放送受信装置内の記録部に記録したりする場合、再生中の音楽コンテンツのデータや放送受信部で受信した放送信号をデジタルデータに変換して音楽抽出部によって音楽データのみを抽出しながらＲＡＭに一時記録し、１つの楽曲の記録が完了すると、ハードディスクからなる記憶部にその楽曲の音楽データを記録する音楽記録再生装置においては、ＲＡＭに一時記録する音楽コンテンツがハードディスク部に既に記録済であると、重複して記録され、記憶容量が無駄になるという問題点が生ずる。
【００１１】
このような不都合を回避するためには、ハードディスク部に記録済の楽曲をリスト表示し、利用者がＲＡＭに記録中の音楽コンテンツの楽曲と、ハードディスク部に記録済の楽曲を把握した上でハードディスク部に記録する操作を行うなど、煩雑な処理が必要になる。特に、音楽記録再生装置が放送受信機能を備える車載用のナビゲーション装置ののようにナビゲーション機能を有する場合、運転中の利用者がこのような操作を行わなければならず、このような方法は安全面からは必ずしも好ましいものではない。
【００１２】
また、記録部に記録された音楽コンテンツの再生に際して、単に記録されている音楽コンテンツのリストを表示し、再生を所望する曲を選択させる場合、現在ヒットしている曲が識別できると好都合である。
【００１３】
本願の発明者は上記の問題点を解消すべく種々検討を重ねた結果、音楽コンテンツを含む放送を受信してハーディスクからなる記憶部に音楽コンテンツを記録することができる音楽記録再生装置において、受信放送中の音楽コンテンツの曲名を解析して、同じ曲名の音楽コンテンツを記録済である場合には、記録部への記録処理を行わず処理回数をカウントし、記録部に記録された音楽コンテンツの曲名をカウント値に応じた順序でリスト表示するようになせば上記の問題点を解消し得ることに想到して本発明を完成するに至ったものである。
【００１４】
本発明は、上記の問題点を解消することを目的とし、受信中の放送から音楽コンテンツを記録する際、同じ音楽コンテンツを重複記録することがなく、また、受信や記録の頻度の高い音楽コンテンツを容易に識別できるようにした音楽記録再生装置を提供することを目的とするものである。
【課題を解決するための手段】
【００１５】
前記課題を解決するために、本願の請求項１にかかる発明は、
放送を受信する放送受信部と、前記受信した放送の音楽コンテンツを一時記録する第１記録部と、該第１記録部に一時記録された音楽コンテンツを記録する第２記録部と、前記第１記録部に一時記録された音楽コンテンツを前記第２記録部に記録する制御部と、音楽コンテンツを特定する音楽情報特定手段と、を備え、
前記放送受信部で受信中の音楽コンテンツを前記第１記録部に記録し、前記音楽情報特定手段は該第１記録部に記録された音楽コンテンツを特定し、前記制御部は、当該音楽コンテンツが前記第２記録部に記録済である場合、前記第１記録部に記録された音楽コンテンツを破棄し、当該音楽コンテンツが前記第２記録部に記録されていない場合、前記第１記録部に記録された音楽コンテンツを前記第２記録部に記録し、前記音楽コンテンツの処理回数をカウントアップして前記音楽コンテンツに対応付けて前記第２記録部に記録することを特徴とする音楽記録再生装置の発明である。
【００１６】
また、本願の請求項２にかかる発明は、請求項１にかかる音楽記録再生装置において、前記制御手段は、前記第２記録手段に記録された音楽コンテンツのリストを表示手段に表示する際、前記音楽コンテンツの処理回数に応じてソートし、処理回数の多い順に前記音楽コンテンツのリストを表示することを特徴とする。
【００１７】
また、本願の請求項３にかかる発明は、請求項１または請求項２にかかる音楽記録再生装置において、前記音楽情報特定手段は、音楽情報送受信部および特徴抽出部を有し、該音楽情報送受信部は、前記特徴抽出部により抽出された前記放送受信部で受信中の音楽コンテンツの特徴部分をサーバに送信し、前記サーバから当該音楽コンテンツの曲名を含む音楽情報を受信し、前記制御部は、当該音楽コンテンツの曲名に基づいて前記第２記録部に記録済か否かを判別することを特徴とする。
【００１８】
また、本願の請求項４にかかる発明は、請求項１または請求項２にかかる音楽記録再生装置において、前記音楽情報特定手段は、音楽情報解析手段を有し、前記第１記録部に記録された音楽コンテンツの周波数特性に基づいて該音楽コンテンツを特定し、前記制御部は当該音楽コンテンツの前記周波数特性に基づいて、前記第２記録部に記録済か否かを判別することを特徴とする。
【００１９】
また、本願の請求項５にかかる発明は、請求項１または請求項２にかかる音楽記録再生装置において、前記音楽情報特定手段は、曲名検出部を含む音楽情報解析手段を有し、前記音楽情報解析手段は、前記放送受信部で受信中の音楽コンテンツの特徴部分を抽出し、当該特徴部分に基づいて前記音楽コンテンツの曲名を特定し、前記制御部は、当該音楽コンテンツが前記第２記録部に記録済である場合、前記第１記録部に記録された音楽コンテンツを破棄し、当該音楽コンテンツが前記第２記録部に記録されていない場合、前記第１記録部に記録された音楽コンテンツを前記第２記録部に記録することを特徴とする。
【００２０】
また、本願の請求項６にかかる発明は、請求項１ないし請求項５の何れかの音楽記録再生装置において、前記音楽記録再生装置は、現在位置検出部と、道路をノードとノード間を接続するリンクで表現した道路データを記憶する地図記憶部と、前記道路データに基づいて経路探索を行うナビ制御部と、を備え、ナビ制御部が経路探索した案内経路に基づいて経路案内するナビゲーション機能を有し、前記リンクデータは、各リンク毎にそのリンクで受信可能な放送局のデータをリンクの属性情報に含み、前記ナビゲーション装置は、経路案内中に前記放送受信部で受信中の音楽コンテンツを前記第１記録部に記録する際、前記ナビ制御部は、前記道路データを参照し、案内中の経路の前方のリンクに前記受信中の放送を受信できないリンクが存在する場合、前記受信中の放送を受信できるリンクを用いて経路を再探索することを特徴とする。
【００２１】
また、本願の請求項７にかかる発明は、請求項１ないし請求項５の何れかの音楽記録再生装置において、前記音楽記録再生装置は、現在位置検出部と、道路をノードとノード間を接続するリンクで表現した道路データを記憶する地図記憶部と、前記道路データに基づいて経路探索を行うナビ制御部と、を備え、ナビ制御部が経路探索した案内経路に基づいて経路案内するナビゲーション機能を有し、前記リンクデータは、各リンク毎にそのリンクで受信可能な放送局のデータをリンクの属性情報に含み、前記ナビゲーション装置は、経路案内中に前記放送受信部で受信中の音楽コンテンツを前記第１記録部に記録する際、前記ナビ制御部は、前記道路データを参照し、案内中の経路の前方のリンクに前記受信中の放送を受信できないリンクが存在する場合、前記経路上で停車すべき時間を算出して案内することを特徴とする。
【発明の効果】
【００２２】
請求項１にかかる発明においては、音楽記録再生装置は、放送を受信する放送受信部と、前記受信した放送の音楽コンテンツを一時記録する第１記録部と、該第１記録部に一時記録された音楽コンテンツを記録する第２記録部と、前記第１記録部に一時記録された音楽コンテンツを前記第２記録部に記録する制御部と、音楽コンテンツを特定する音楽情報特定手段と、を備え、
前記放送受信部で受信中の音楽コンテンツを前記第１記録部に記録し、前記音楽情報特定手段は該第１記録部に記録された音楽コンテンツを特定し、前記制御部は、当該音楽コンテンツが前記第２記録部に記録済である場合、前記第１記録部に記録された音楽コンテンツを破棄し、当該音楽コンテンツが前記第２記録部に記録されていない場合、前記第１記録部に記録された音楽コンテンツを前記第２記録部に記録し、前記音楽コンテンツの処理回数をカウントアップして前記音楽コンテンツに対応付けて前記第２記録部に記録する。
【００２３】
このような構成によれば、ＲＡＭに一時記録された音楽コンテンツと同じ音楽コンテンツのデータが記録部であるハードディスク部に既に記録されている場合には、重複して記憶しないようにすることができる。また、放送を受信して聴いた音楽コンテンツについてその回数が処理回数として曲名と対応付けでカウントされるから、処理回数順にリスト表示することができ、利用者が放送を受信して聞いた頻度の高い曲名がリスト表示の上位に表示できるようになる。
【００２４】
請求項２にかかる発明においては、請求項１にかかる音楽記録再生装置において、前記制御手段は、前記第２記録手段に記録された音楽コンテンツのリストを表示手段に表示する際、前記音楽コンテンツの処理回数に応じてソートし、処理回数の多い順に前記音楽コンテンツのリストを表示する。
【００２５】
このような構成によれば、放送を受信して聴いた音楽コンテンツについてその回数が処理回数として曲名と対応付けでカウントされ、表示手段に処理回数順にリスト表示されるから、利用者が放送を受信して聞いた頻度の高い曲名がリスト表示の上位に表示できるようになる。
【００２６】
請求項３にかかる発明においては、請求項１または請求項２にかかる音楽記録再生装置において、前記音楽情報特定手段は、音楽情報送受信部および特徴抽出部を有し、該音楽情報送受信部は、前記特徴抽出部により抽出された前記放送受信部で受信中の音楽コンテンツの特徴部分をサーバに送信し、前記サーバから当該音楽コンテンツの曲名を含む音楽情報を受信し、前記制御部は、当該音楽コンテンツの曲名に基づいて前記第２記録部に記録済か否かを判別する。
【００２７】
このような構成によれば、ナビゲーション装置はサーバから音楽コンテンツの曲名を含む音楽情報を受信し、制御部は、当該音楽コンテンツの曲名に基づいて前記記録部に記録済か否かを判別することができ、ＲＡＭに一時記録された音楽コンテンツと同じ音楽コンテンツのデータが記録部であるハードディスク部に既に記録されている場合には、重複して記憶しないようにすることができる。
【００２８】
請求項４にかかる発明においては、請求項１または請求項２にかかる音楽記録再生装置において、前記音楽情報特定手段は、音楽情報解析手段を有し、前記第１記録部に記録された音楽コンテンツの周波数特性に基づいて該音楽コンテンツを特定し、前記制御部は当該音楽コンテンツの前記周波数特性に基づいて、前記第２記録部に記録済か否かを判別する。
【００２９】
このような構成によれば、ＲＡＭに記録された音楽コンテンツの周波数特性に基づいて該音楽コンテンツを特定し、前記制御部は当該音楽コンテンツの前記周波数特性に基づいて、前記録部に記録済か否かを判別することができ、ＲＡＭに一時記録された音楽コンテンツと同じ音楽コンテンツのデータが記録部であるハードディスク部に既に記録されている場合には、重複して記憶しないようにすることができる。
【００３０】
請求項５にかかる発明においては、請求項１または請求項２にかかる音楽記録再生装置において、前記音楽情報特定手段は、曲名検出部を含む音楽情報解析手段を有し、前記音楽情報解析手段は、前記放送受信部で受信中の音楽コンテンツの特徴部分を抽出し、当該特徴部分に基づいて前記音楽コンテンツの曲名を特定し、前記制御部は、当該音楽コンテンツが前記第２記録部に記録済である場合、前記第１記録部に記録された音楽コンテンツを破棄し、当該音楽コンテンツが前記第２記録部に記録されていない場合、前記第１記録部に記録された音楽コンテンツを前記第２記録部に記録する。
【００３１】
このような構成によれば、音楽情報解析手段は、前記放送受信部で受信中の音楽コンテンツの特徴部分を抽出し、当該特徴部分に基づいて前記音楽コンテンツの曲名を特定するから、制御部は、当該音楽コンテンツの曲名に基づいて前記記録部に記録済か否かを判別することができ、ＲＡＭに一時記録された音楽コンテンツと同じ音楽コンテンツのデータが記録部であるハードディスク部に既に記録されている場合には、重複して記憶しないようにすることができる。
【００３２】
請求項６にかかる発明においては、請求項１ないし請求項５にかかる音楽記録再生装置において、前記音楽記録再生装置は、現在位置検出部と、道路をノードとノード間を接続するリンクで表現した道路データを記憶する地図記憶部と、前記道路データに基づいて経路探索を行うナビ制御部と、を備え、ナビ制御部が経路探索した案内経路に基づいて経路案内するナビゲーション機能を有し、リンクデータは、各リンク毎にそのリンクで受信可能な放送局のデータをリンクの属性情報に含み、経路案内中に前記放送受信部で受信中の音楽コンテンツを前記第１記録部に記録する際、前記ナビ制御部は、前記道路データを参照し、案内中の経路の前方のリンクに前記受信中の放送を受信できないリンクが存在する場合、前記受信中の放送を受信できるリンクを用いて経路を再探索する。
【００３３】
このような構成によれば、経路前方に受信中の放送局の受信ができないリンクが存在する場合、受信可能なリンクを抽出して経路を再探索して案内経路を変更すれば、受信中の放送を中断することなく、移動を続けることができるようになる。
【００３４】
請求項７にかかる発明においては、請求項１ないし請求項５にかかる音楽記録再生装置において、前記音楽記録再生装置は、現在位置検出部と、道路をノードとノード間を接続するリンクで表現した道路データを記憶する地図記憶部と、前記道路データに基づいて経路探索を行うナビ制御部と、を備え、ナビ制御部が経路探索した案内経路に基づいて経路案内するナビゲーション機能を有し、リンクデータは、各リンク毎にそのリンクで受信可能な放送局のデータをリンクの属性情報に含み、経路案内中に前記放送受信部で受信中の音楽コンテンツを前記第１記録部に記録する際、前記ナビ制御部は、前記道路データを参照し、案内中の経路の前方のリンクに前記受信中の放送を受信できないリンクが存在する場合、前記経路上で停車すべき時間を算出して案内する。
【００３５】
このような構成によれば、経路前方に受信中の放送局の受信ができないリンクが存在する場合、経路上で停車すべき時間を算出して案内すれば、受信中の放送を中断することなく、移動を続けることができるようになる。
【発明を実施するための最良の形態】
【００３６】
以下、本発明の具体例を実施例及び図面を用いて詳細に説明する。但し、以下に示す実施例は、本発明の技術思想を具体化するための音楽記録再生装置を例示するものであって、本発明をこの音楽記録再生装置に特定することを意図するものではなく、特許請求の範囲に含まれるその他の実施形態の音楽記録再生装置にも等しく適用し得るものである。なお、以下の実施例においては、音楽記録再生装置がナビゲーション機能を有する複合装置である場合を例に本発明を詳細に説明する。
【実施例１】
【００３７】
図１は本発明の実施例にかかるナビゲーション機能を有する音楽記録再生装置の詳細な構成を示すブロック図である。以下、音楽記録再生装置をナビゲーション装置１として説明する。ナビゲーション装置１は、自動車等の車両のダッシュボード上に載置されることにより車載用として使用されるだけでなく、車両から取外されユーザが携帯し使用できるタイプのものであってもよい。また、このナビゲーション装置１は、ＡＭ放送やＦＭ放送に対応したラジオ放送受信機能などを併せ持ったナビゲーション装置である。
【００３８】
ナビゲーション装置１は、図１に示すように、制御手段１０、ラジオ放送受信部１１、ＲＡＭ１２、地図記憶部１３、記録部としてのハードディスク部１４、音楽情報特定手段である音楽情報送受信部１５、表示部１６、操作部１７、スピーカ１８、アンテナ１９、ナビ制御部２０、現在位置検出部２１などを備えて構成されている。
【００３９】
制御手段１０は、ＣＰＵ、ＲＯＭおよびＲＡＭ１２からなるプロセッサで構成され、ＲＯＭに記録された制御プログラムに従ってナビゲーション装置１の各部の動作を制御するものである。ラジオ放送受信部１１は、アンテナ１９を介して放送局からの放送電波を受信する。ナビ制御部２０は経路探索および経路案内などのナビゲーション機能の制御を司る。ラジオ放送の受信とナビゲーション機能の実行は操作部１７の操作により行われる。
【００４０】
ナビゲーション機能の実行中にラジオ放送の受信を行うこともできるが、その場合、表示部１６は、操作部１７による操作、または、自動切換えにより何れかの機能で用いられる表示画面が表示される。例えば、ナビゲーション機能にかかわる画面としては、経路探索条件の設定画面や地図画像および案内経路の画像が表示される。ラジオ放送受信時の画像としては、放送局を選局するための選局画面や、音量調整や音響効果の設定画面などが表示される。
【００４１】
現在位置検出部２１は、例えばＧＰＳ受信機等で構成され、地球上空を周回している複数のＧＰＳ衛星からの時刻情報を含む電波を受信し、それをもとに現在位置情報を算出するものである。
【００４２】
さらに、現在位置検出部２１は距離センサや方位センサを使用するようにしてもよい。この場合、車両の走行距離と走行方位とをそれぞれ検出し、これらの値を基準位置に対して積算することによって現在位置を求める。この現在位置検出方法は、ＧＰＳ受信と組み合わせることで、ＧＰＳ電波を受信できないトンネル内や、誤差が生じやすい高層ビル街において効果を発揮する。
【００４３】
地図記憶部１３は、各道路の交差点や分岐点などの結節点をノードとし、それぞれのノード間を結ぶ経路をリンクとした道路ノードデータ（ノードデータ）と道路リンクデータ（リンクデータ）を含む道路データを記憶する。道路ノードデータには、道路ノードの番号、位置座標、接続リンク本数、交差点名称などが含まれる。また、道路リンクデータには起点および終点となる道路ノードの番号、道路種別、リンク長（リンクコスト）、所要時間、車線数、車道幅などが含まれる。道路リンクデータにはさらに、リンク属性として橋、トンネル、踏切、料金所などのデータが付与される。道路種別は、高速道路や有料道路の別および国道や都道府県道などの別を含む情報である。
【００４４】
地図記憶部１３は、さらに海岸線、湖沼、河川形状などの水系データ、行政境界データ、施設の位置、形状、名称を含む施設データからなる背景データを記憶している。
【００４５】
また、地図記憶部１３には、道路データや背景データの他、地図画像を見やすく表示するためにベクター形式で記憶された地図画像データを含んでいてもよい。
【００４６】
これらの道路データと背景データおよび地図画像データは、ナビゲーション装置１を使用する際に、図示しない表示制御手段によってナビゲーション装置１の現在位置を含む所定範囲の地図が地図記憶部１３から抽出され、現在位置を示す現在位置マークや案内経路の画像が重ね合わされて表示部１６に表示される。また、ナビ制御部２０は、経路案内中に現在位置が交差点や分岐点など案内を要する地点に到達すると、右折、左折、直進などの案内をスピーカ１８から音声出力する。
【００４７】
ナビ制御部２０は、ユーザによって出発地や目的地が指定されると、地図記憶部１３に記憶されている道路データを参照し、出発地から目的地に至る最適経路を探索し、案内経路データを作成するものである。この最適経路の探索は、現在位置またはユーザによって指定された出発地に対応する道路ノードからユーザによって指定された目的地に対応する道路ノードまでに至るリンクとノードをダイクストラ法などの各種の手法によって探索し、リンク長（リンクコスト）や所要時間などを累積し、総リンク長または総所要時間などが最短となる経路を案内経路とし、当該経路に属する道路ノードやリンクを案内経路データとして提供するものである。
【００４８】
表示部１６は図示しない表示制御手段により、地図上で現在位置を表示する際や、経路案内を行っている際、さらにユーザが所定の位置と縮尺を指定した場合などに、所定範囲の道路データや背景データ、地図画像データを選択し、現在位置を示すアイコン（現在位置マーク：自車位置マーク）や走行道路の軌跡や案内経路などを示す画像、さらには種々の案内解説などの画像を重ね合わせて合成し、表示部１６に表示できるデータを作成する。
【００４９】
ラジオ放送受信部１１はアンテナ１９を介して放送電波を受信する。受信している放送のコンテンツが音楽である場合、ＲＡＭ１２に一時記録する。ＲＡＭ１２に一時記録した音楽コンテンツは記憶部であるハードディスク部１４に記録（録音）することができる。
【００５０】
また、音楽コンテンツを特定するための音楽情報特定手段である音楽情報送受信部１５は、記録中の音楽コンテンツの楽曲を特定するためのデータ（楽曲の先頭やサビの部分）を検出して図示しない情報サーバに送る。サーバは送られた音楽データを解析して楽曲を特定し、その楽曲の曲名や収録時間を算出してナビゲーション装置に送信する。楽曲の解析は、例えば、上記の特許文献２に開示されている技術を適用することができる。楽曲が特定できない場合サーバはエラー情報をナビゲーション装置に送信する。
【００５１】
音楽情報送受信部１５はＲＡＭ１２に記録している楽曲の曲名をサーバから受信すると、制御部１０は、記録部であるハードディスク部１４に曲名と対応付けて音楽コンテンツを記録する。その際、制御部１０は、音楽情報送受信部１５が受信した音楽コンテンツの曲名に基づいてハードディスク部１４に記録された音楽コンテンツの曲名をサーチし、ＲＡＭ１２からハードディスク部１４に記録しようとしている音楽コンテンツの曲名と同じ曲名の音楽コンテンツが既にハードディスク部１４に記録済であるか否かを検出する。
【００５２】
ハードディスク部１４に同じ曲名の音楽コンテンツが記録されていれば、制御部１０は、ＲＡＭ１２に一時記録された音楽コンテンツを破棄し、ハードディスク部１４への記録を行わない。その際、制御部１０はハードディスク部１４に記録されている音楽コンテンツの曲名データと対応付けて処理回数を「１」加算する。ハードディスク部１４に同じ曲名の音楽コンテンツが記録されていなければ、ＲＡＭ１２に一時記録された音楽コンテンツを曲名と対応付けてハードディスク部１４に記録する。その際、制御部１０は、ハードディスク部１４に音楽コンテンツの曲名と対応付けて処理回数を「１」加算する。なお、処理回数の初期値は「０」である。
【００５３】
従って、ＲＡＭ１２に一時記録された音楽コンテンツと同じ曲名のデータがハードディスク部１４に既に記録されているか、否かにかかわらず放送を受信して聴いた回数が処理回数として曲名と対応付けでカウントされる。ハードディスク部１４に記録された音楽コンテンツは、その曲名の一覧を表示部１６に表示することができるが、その表示を処理回数順とすれば、利用者が放送を受信して聞いた頻度の高い曲名がリスト表示の上位に表示される。これにより利用者は、ハードディスク部１４に記録された音楽コンテンツの中から頻繁に聞いた曲名の音楽コンテツを容易に選択することができるようになる。
【００５４】
図２は、本発明の実施例１にかかるナビゲーション装置１の動作手順を示すフローチャートである。ナビゲーション装置１においてナビ制御部２０は、経路探索を行い、指定された目的地までの経路を探索し経路案内を実行中であってもよい。そして、ラジオ放送受信部１１は所望の放送局の音楽コンテンツを含む放送を受信しているものとする。
【００５５】
ステップＳ１０１の処理で操作部１７の操作により音楽放送に含まれる音楽コンテンツの記録開始の指示がなされると、音楽情報送受信部１５はステップＳ１０２の処理で音楽部分のデータを切り出し、ステップＳ１０３の処理でＲＡＭ１２に一時記録する。次に、音楽情報送受信部１５は、音楽の先頭部分または特徴部分を抽出し、図示しないサーバに送信する（ステップＳ１０４）。
【００５６】
図３は、音楽コンテンツの解析処理を行うサーバ（図示せず）の処理手順を示すフローチャートである。サーバはナビゲーション装置１から音楽の先頭部分または特徴部分のデータを受信すると、ステップＳ２０１の処理でデータを解析して音楽（楽曲）の曲名、収録時間（演奏時間）を特定する。次いでサーバは、ステップＳ２０２の処理で音楽を特定できたか否かを判別し、特定できなかったらナビゲーション装置１にエラー情報を送信する（ステップＳ２０４）。音楽が特定できたら、ステップＳ２０３の処理に進み、解析により得られた音楽の曲名、収録時間をナビゲーション装置１に送信して処理を終了する。
【００５７】
再び図２に示すフローチャートに戻ると、ステップＳ１０５の処理で、音楽情報送受信部１５がサーバから音楽の曲名、収録時間を受信すると、ＲＡＭ１２に記録している音楽コンテンツのデータにその曲名、収録時間のデータを対応付けて記録する（ステップＳ１０６）。そしてステップＳ１０７の処理でハードディスク部１４に既に記録されている音楽コンテンツのリストの曲名を比較し、同じ曲名の音楽コンテンツが記録されているか否かを判別する（ステップＳ１０８）。
【００５８】
ハードディスク部１４に同じ曲名の音楽コンテンツが記録されていれば、制御部１０は、ＲＡＭ１２に一時記録された音楽コンテンツを破棄し、ハードディスク部１４への記録を行わない。その際、ステップＳ１０９の処理で、制御部１０はハードディスク部１４に記録されている音楽コンテンツの曲名データと対応付けて処理回数を「１」加算する。ハードディスク部１４に同じ曲名の音楽コンテンツが記録されていなければ、ＲＡＭ１２に一時記録された音楽コンテンツを曲名と対応付けてハードディスク部１４に記録する（ステップＳ１１０）。その際、制御部１０は、ハードディスク部１４に音楽コンテンツの曲名と対応付けて処理回数を「１」加算する（ステップＳ１０９）。なお、この場合の処理回数の初期値は「０」である。
【００５９】
図４は、ハードディスク部１４に記録された音楽コンテンツのリストの一例を示す図である。このリストはハードディスク部１４に記憶され、再生する音楽コンテンツを選択するに際して表示部１６に曲名リストとして表示される。図４に示すようにこのリストは、記録する音楽コンテンツにデータＩＤを設定し、曲名、収録時間、ハードディスク部１４の記録アドレスの他、曲名に対応付けて処理回数（放送受信回数）が記憶される。処理回数の初期値は「０」であり、初回に放送を受信してハードディスク部１４に記録すると「１」加算され、以下、同じ音楽コンテンツを受信する毎にその都度「１」加算される。従って、この処理回数を参照すれば利用者が放送を受信した頻度がわかり、現在ヒットしていてよく聞かれている音楽を容易に識別でき、ヒット曲を再生する際の選択が容易になる。
【００６０】
以上の処理を完了すると、制御部１０はステップＳ１１１の処理でＲＡＭ１２に記録された音楽コンテンツのデータを破棄（ＲＡＭ１２をクリア）する。ステップＳ１１２で音楽の記録の終了指示があったかを判別し、終了指示があればステップＳ１０１の処理に戻り、終了指示があれば制御部１０は処理を終了する。
【００６１】
図５は、ハードディスク部１４に記録された音楽コンテンツのリスト（図４参照）を表示部１６に表示する処理手順を示すフローチャートである。ステップＳ３０１の処理で操作部１７の操作によりハードディスク部１４に記録され音楽コンテンツのリストを表示させるリスト表示の指示があると、ステップ３０２の処理で制御部１０はハードディスク部１４に記録されている音楽コンテンツのリストの曲名、処理回数カウントの値を参照し、ステップＳ３０３の処理で曲名を処理回数のカウント値の大きい順にソートして表示部１６に表示する。
【００６２】
ステップＳ３０４の処理では、制御部１０は操作部１７で曲名の選択操作があったか判別される。曲名選択の操作がなければステップＳ３０６の処理でリスト表示終了指示があったか否かを判別し、リスト表示の終了指示がなければＳ３０４の曲名選択の判別処理に戻る。リスト表示終了の指示があれば、制御部１０はステップＳ３０７でリスト表示を終了して処理を終了する。
【００６３】
ステップＳ３０４の曲名選択の判別処理で曲名選択があると、制御部１０はハードディスク部１４から選択された曲名の音楽コンテンツのデータを読み出して再生を行う（ステップＳ３０５）。そしてステップＳ３０７に進み、表示部１６へのリスト表示を終了して処理を終了する。
【００６４】
地図データの各リンクデータは前述したように属性情報を持つ。本実施例のナビゲーション装置においては、属性情報に更に、各リンク上で受信可能な放送局（送信局）のデータが記憶されている。従って、ラジオ放送受信中の放送局と案内経路上のリンクの属性データに記憶されている放送局とを比較すると、案内経路上で受信中の放送を継続受信できるか否かを判別することができる。
【００６５】
図６は、リンクに付加される属性情報の一例を示す図である。図６に示すように各リンクには、受信可能な放送局の情報が属性情報として記憶されている。例えば、リンクＬ００では放送局Ａ０、Ｂ０・・の放送電波の受信が可能であり、リンクＬ０Ｎでは放送局Ａ１、Ｂ１・・の放送電波の受信が可能である。これにより車両がどのリンクに到達した時にどの放送局の放送電波の受信が可能かを判別することができる。従って、リンクの属性情報に記録されていない放送局の放送電波は当該リンクでは受信できないことがわかる。
【００６６】
このようなリンクデータに従って、経路案内中の経路の前方のリンクの属性情報を判別して、経路前方に受信中の放送局の受信ができないリンクが存在する場合、車両の移動速度に基づいてそのリンクまでの移動時間を算出し、記録中へ音楽の演奏時間（収録時間）と比較し、演奏時間内にそのリンクに到達する場合、経路途中における停車時間を求めて案内する。利用者が案内経路の途中で指示された時間停車すれば、音楽の記録が途切れることはない。
【００６７】
また、このようなリンクデータに従って、経路案内中の経路の前方のリンクの属性情報を判別して、経路前方に受信中の放送局の受信ができないリンクが存在する場合、受信可能なリンクを抽出して経路を再探索して案内経路を変更すれば、ナビゲーション装置において受信中の放送を中断することなく、移動を続けることができる。あるいは、経路上で停車すべき時間を算出して案内すれば、ナビゲーション装置において受信中の放送を中断することなく、移動を続けることができる。
【実施例２】
【００６８】
上記実施例１においては音楽データをサーバに送り、曲名や収録時間の解析をサーバで行い、その結果をナビゲーション装置１が受信する構成を説明したが、ナビゲーション装置１に音楽の解析機能を備える構成であってもよい。図７は、本発明の実施例２にかかるナビゲーション装置１の構成を示す図であり、ナビゲーション装置１が音楽情報解析部２５を備えたものである。
【００６９】
図７に示す実施例２のナビゲーション装置１おいて、実施例１のナビゲーション装置１（図１参照）と異なる点は、図７のナビゲーション装置１が、図１のナビゲーション装置１における音楽情報送受信部１５にかわりに音楽情報解析部２５を備えた点である。その他の構成要素は、図１に示すナビゲーション装置１の構成と同様であり、同一の構成要素には同一の参照符号を付し、その説明は重複するため省略する。
【００７０】
ラジオ放送受信部１１はアンテナ１９を介して放送電波を受信する。受信している放送のコンテンツが音楽である場合、ＲＡＭ１２に一時記録する。音楽情報解析部２５は、曲名検出部を備え、実施例１において説明したサーバと同様の機能を有し、ＲＡＭ１２に記録する音楽コンテンツのデータから、記録中の音楽コンテンツの楽曲を特定するためのデータ（楽曲の先頭やサビの部分）を検出する。そして音楽情報解析部２５はその音楽データを解析して楽曲を特定し、その楽曲の曲名を特定し、またその収録時間を算出する。
【００７１】
制御部１０は、音楽情報送解析受信部２５が解析した音楽コンテンツの曲名に基づいてハードディスク部１４に記録された音楽コンテンツの曲名をサーチし、ＲＡＭ１２からハードディスク部１４に記録しようとしている音楽コンテンツの曲名と同じ曲名の音楽コンテンツが既にハードディスク部１４に記録済であるか否かを検出する。
【００７２】
ハードディスク部１４に同じ曲名の音楽コンテンツが記録されていれば、制御部１０は、ＲＡＭ１２に一時記録された音楽コンテンツを破棄し、ハードディスク部１４への記録を行わない。ハードディスク部１４に同じ曲名の音楽コンテンツが記録されていなければ、ＲＡＭ１２に一時記録された音楽コンテンツを曲名と対応付けてハードディスク部１４に記録する。制御部１０による処理回数の加算は実施例１の場合と同様である。
【００７３】
図８は、本発明の実施例２にかかるナビゲーション装置１の動作手順を示すフローチャートである。図８のステップＳ４０１〜ステップＳ４０３、ステップ４０６〜ステップＳ４１２の処理は、図２のステップＳ１０１〜ステップＳ１０３、ステップ１０６〜ステップＳ１１２の処理に相当する処理である。図８に示す手順のステップＳ４０４とステップ４０５の処理が、図２に示す手順のステップＳ１０４とステップＳ１０５の処理と異なる。
【００７４】
図２においては音楽コンテンツの特徴部分のデータを抽出してサーバに送り（ステップＳ１０４）、サーバから曲名や収録時間などの解析結果を受信する（ステップＳ１０５）ものであったが、図８においてはサーバの処理を音楽情報解析部２５が行っている。すなわち、ステップＳ４０４の処理で音楽情報解析部２５は、音楽の先頭部分または特徴部分のデータを抽出してこのデータを解析し、ステップＳ４０５の処理で音楽（楽曲）の曲名、収録時間（演奏時間）を特定する。音楽が特定できたらステップＳ４０６の処理に進む。なお、この時、音楽を特定できなければエラー情報を表示して処理を終了する。ステップＳ４０６以降の処理は、図２のステップ１０６以降の処理と同様である。
【００７５】
すなわち、ステップＳ４０５の処理で、音楽情報解析部２５が音楽の曲名、収録時間を受信特定すると、ＲＡＭ１２に記録している音楽コンテンツのデータにその曲名、収録時間のデータを対応付けて記録する（ステップＳ４０６）。そしてステップＳ４０７の処理でハードディスク部１４に既に記録されている音楽コンテンツのリストの曲名を比較し、同じ曲名の音楽コンテンツが記録されているか否かを判別する（ステップＳ４０８）。
【００７６】
ハードディスク部１４に同じ曲名の音楽コンテンツが記録されていれば、制御部１０は、ＲＡＭ１２に一時記録された音楽コンテンツを破棄し、ハードディスク部１４への記録を行わない。その際、ステップＳ４０９の処理で、制御部１０はハードディスク部１４に記録されている音楽コンテンツの曲名データと対応付けて処理回数を「１」加算する。ハードディスク部１４に同じ曲名の音楽コンテンツが記録されていなければ、ＲＡＭ１２に一時記録された音楽コンテンツを曲名と対応付けてハードディスク部１４に記録する（ステップＳ４１０）。その際、制御部１０は、ハードディスク部１４に音楽コンテンツの曲名と対応付けて処理回数を「１」加算する（ステップＳ４０９）。なお、この場合の処理回数の初期値は「０」である。
【００７７】
以上の処理を完了すると、制御部１０はステップＳ４１１の処理でＲＡＭ１２に記録された音楽コンテンツのデータを破棄（ＲＡＭ１２をクリア）する。ステップＳ４１２で音楽の記録の終了指示があったかを判別し、終了指示があればステップＳ４０１の処理に戻り、終了指示があれば制御部１０は処理を終了する。
【００７８】
以上、詳細に説明したように、本発明にかかる音楽記録再生装置によれば、ＲＡＭ１２に一時記録された音楽コンテンツと同じ曲名のデータがハードディスク部１４に既に記録されているか、否かにかかわらず放送を受信して聴いた回数が処理回数として曲名と対応付けでカウントし、処理回数順にリスト表示するものであるから、利用者が放送を受信して聞いた頻度の高い曲名がリスト表示の上位に表示される。これにより利用者は、ハードディスク部１４に記録された音楽コンテンツの中から頻繁に聞いた曲名の音楽コンテツを容易に選択することができるようになる。また、既に記録部に記録された音楽コンテンツを重複して記憶することがない。
【図面の簡単な説明】
【００７９】
【図１】本発明の実施例１にかかる音楽記録再生装置のブロック構成図を示す。
【図２】本発明の実施例１にかかる音楽記録再生装置における処理手順を示すフローチャートである。
【図３】音楽コンテンツの解析処理を行うサーバの処理手順を示すフローチャートである。
【図４】記録部に記録された音楽コンテンツのリストの一例を示す図である。
【図５】記録部に記録された音楽のリストを表示部に表示する処理手順を示すフローチャートである。
【図６】リンク属性情報の一例を示す図である。
【図７】本発明の実施例２にかかるナ音楽記録再生装置のブロック構成図を示す。
【図８】本発明の実施例２にかかる音楽記録再生装置における処理手順を示すフローチャートである。
【符号の説明】
【００８０】
１  ：    音楽記録再生装置（ナビゲーション装置）
１０：    制御手段
１１：    ラジオ放送受信部（放送受信部）
１２：    ＲＡＭ
１３：    地図記憶部
１４：    記録部（ハードディスク部）
１５：    音楽情報送受信部（音楽情報特定手段）
１６：    表示部
１７：    操作部
１８：    スピーカ
１９：    アンテナ
２０：    ナビ制御部
２１：    現在位置検出部
【図１】
2009123308.tif 000003
【図２】
2009123308.tif 000004
【図３】
2009123308.tif 000005
【図４】
2009123308.tif 000006
【図５】
2009123308.tif 000007
【図６】
2009123308.tif 000008
【図７】
2009123308.tif 000009
【図８】
2009123308.tif 000010